(57)【要約】【課題】栽培面積を増加させることなく作物の実を太陽光に向けて栽培することができ、しかも、ガクを有する作物の実のガクの内側に十分な太陽光が照射されることで糖度の高い作物を得ることができる作物栽培装置及び作物栽培方法を提供する。【解決手段】下端部近傍に形成した埋設部４を栽培地Ｇに埋設することで立設自在な支持具２と、太陽光を通過自在で且つ案内孔１７を備えた支持床１４と、からなり、支持床１４の上面に案内孔１７を通して下方から移動させた作物の実Ｆを載置自在で、支持床１４の下方に作物の実Ｆ以外の部分が位置するよう支持具２の中途部に支持床１４を装着して構成したことを特徴とする。【選択図】図１
2020028231.tif 000002
【特許請求の範囲】
【請求項１】
下端部近傍に形成した埋設部を栽培地に埋設することで立設自在な支持具と、
太陽光を通過自在で且つ案内孔を備えた支持床と、からなり、
前記支持床の上面に前記案内孔を通して下方から移動させた作物の実を載置自在で、
前記支持床の下方に作物の実以外の部分が位置するよう前記支持具の中途部に前記支持床を装着したことを特徴とする作物栽培装置。
【請求項２】
前記支持具は、前記支持床を傾斜して装着できるよう形成したことを特徴とする請求項１に記載の作物栽培装置。
【請求項３】
前記支持具は、２つの解放端を下方とする側面視略コ字状に形成し、前記解放端をなす２辺は前記埋設部を備えた棒状の支柱部であり、前記両支柱部の上端を所定の間隔で連接する連結部を備えたことを特徴とする請求項２に記載の作物栽培装置。
【請求項４】
前記支持具は、前記両支柱部に前記支持床を任意の高さに装着自在とする前記支柱部と同軸の円環状の凸部を上下に連続して複数形成し断面視波型に形成したことを特徴とする請求項３に記載の作物栽培装置。
【請求項５】
前記支持具は、前記連結部を傾斜させると共に、前記支柱部と前記連結部とが連接する箇所に支持床装着部を形成したことを特徴とする請求項３に記載の作物栽培装置。
【請求項６】
前記作物の実を前記支持床の上面に前記案内孔を通して下方から移動させ載置し、
前記支持床の下方に前記作物の実以外の部分が位置するよう配置し、
て作物を栽培することを特徴とする請求項１乃至５の何れか１項に記載の作物栽培装置を用いた作物栽培方法。
【請求項７】
前記作物の実は、ガクを有する作物であり、前記ガクを含む前記作物の実を前記ガクの内側を太陽光の入射方向に対峙して前記支持床上に載置し、て作物を栽培することを特徴とする請求項６に記載の作物栽培方法。
【請求項８】
前記太陽光の入射方向と入射角度は、真南の南中高度であることを特徴とする請求項７に記載の作物栽培方法。
【発明の詳細な説明】
【技術分野】
【０００１】
この発明は、栽培面積を増加させることなく作物の実を太陽光に向けて栽培することができる作物栽培装置及び作物栽培方法に関する。
【背景技術】
【０００２】
従来、例えば、作物がイチゴであればイチゴの実に太陽光が照射され、しかも、その受光量が多いほど収穫期のイチゴの実の着色や糖度、大きさに影響を与えることが知られている。
【０００３】
従って、可能な限りイチゴの実に太陽光が照射されるよう様々な工夫がなされており、例えば、特許文献１に係る植物成育用補助柵では、栽培地に植栽されたイチゴに隣接して植物成育用補助柵を立設し、下部に形成された門型の切込み部分から茎に連接するイチゴの実を導出して栽培地上に載置することで植物成育用補助柵の前後において葉や葉柄等とイチゴの実を物理的に分離する技術が開示されている。
【０００４】
また、特許文献２に係るイチゴ用高設栽培ベッドでは、高設用ベッド本体の上部に植栽されたイチゴにおいて、イチゴの茎に連接するイチゴの実を高設用ベッド本体の側部に枢止連結された紐やネットからなる果実支持板の上に載置することで葉や葉柄等とイチゴの実を物理的に分離し、しかも、果実支持板を下方から支持する支持棒により果実支持板の傾斜角度を調整自在に構成することでイチゴの実に対して太陽光の照射角度を調整自在とする技術が開示されている。
【先行技術文献】
【特許文献】
【０００５】
【特許文献１】登録実用新案第３００９９４０号公報
【特許文献２】特開２００９−２１９４２１号公報
【発明の概要】
【発明が解決しようとする課題】
【０００６】
確かに、特許文献１に係る植物成育用補助柵、及び特許文献２に係るイチゴ用高設栽培ベッドに記載の技術は、何れもイチゴの実が葉や葉柄等の陰とならず、イチゴの実に太陽光が効率よく照射される点で優れている。
【０００７】
しかしながら、特許文献１では、植物成育用補助柵の前後において、すなわち略水平方向において葉や葉柄等とイチゴの実を離反させるため、一株の幅員が広くなり栽培面積を圧迫する結果、収穫量に制約が生じ、更に、イチゴの実が栽培地上に載置されるため、イチゴの実の下部側で栽培地と当接する部位には太陽光だけでなく反射光も到達しないため、イチゴの実に太陽光を照射する技術としては不十分であった。
【０００８】
また、特許文献２では、支持棒により傾斜自在な果実支持板の上にイチゴの実を載置することで、果実支持板を略水平に可変しない限り特許文献１に記載の技術よりも一株の幅員は狭くなるものの、葉や葉柄等とイチゴの実を略水平方向で離反する構成である以上、栽培面積を圧迫することは避けられず、収穫量に制約が生じてしまう。
【０００９】
また、高設用ベッド本体の側部に果実支持板を枢止連結し支持棒により果実支持板の傾斜角度を調整自在に構成した複雑な構造を採用しているため、部品点数が多く高価となり、しかも、組立やメンテナンスが煩雑なものとなってしまう。
【００１０】
ここで、発明者は、ガク（へた）を有する作物の実は、ガクの内側（内表面）に十分な太陽光が照射されることで作物の実の糖度が向上することを見出し、上述の課題と共に創意工夫を行った。
【００１１】
本発明は、以上のような事情に鑑みてなされたものであり、栽培面積を増加させることなく作物の実を太陽光に向けて栽培することができ、しかも、ガクを有する作物の実のガクの内側に十分な太陽光が照射されることで糖度の高い作物を得ることができる作物栽培装置及び作物栽培方法を提供することにある。
【課題を解決するための手段】
【００１２】
以上のような目的を達成するために、本発明は以下のようなものを提供する。
【００１３】
請求項１に係る発明では、下端部近傍に形成した埋設部を栽培地に埋設することで立設自在な支持具と、太陽光を通過自在で且つ案内孔を備えた支持床と、からなり、前記支持床の上面に前記案内孔を通して下方から移動させた作物の実を載置自在で、前記支持床の下方に作物の実以外の部分が位置するよう前記支持具の中途部に前記支持床を装着したことを特徴とする作物栽培装置を提供せんとする。
【００１４】
請求項２に係る発明では、前記支持具は、前記支持床を傾斜して装着できるよう形成したことを特徴とする請求項１に記載の作物栽培装置を提供せんとする。
【００１５】
請求項３に係る発明では、前記支持具は、２つの解放端を下方とする側面視略コ字状に形成し、前記解放端をなす２辺は前記埋設部を備えた棒状の支柱部であり、前記両支柱部の上端を所定の間隔で連接する連結部を備えたことを特徴とする請求項２に記載の作物栽培装置を提供せんとする。
【００１６】
請求項４に係る発明では、前記支持具は、前記両支柱部に前記支持床を任意の高さに装着自在とする前記支柱部と同軸の円環状の凸部を上下に連続して複数形成し断面視波型に形成したことを特徴とする請求項３に記載の作物栽培装置を提供せんとする。
【００１７】
請求項５に係る発明では、前記支持具は、前記連結部を傾斜させると共に、前記支柱部と前記連結部とが連接する箇所に支持床装着部を形成したことを特徴とする請求項３に記載の作物栽培装置を提供せんとする。
【００１８】
請求項６に係る発明では、前記作物の実を前記支持床の上面に前記案内孔を通して下方から移動させ載置し、前記支持床の下方に前記作物の実以外の部分が位置するよう配置して作物を栽培することを特徴とする請求項１乃至５の何れか１項に記載の作物栽培装置を用いた作物栽培方法を提供せんとする。
【００１９】
請求項７に係る発明では、前記作物の実は、ガクを有する作物であり、前記ガクを含む前記作物の実を前記ガクの内側を太陽光の入射方向に対峙して前記支持床上に載置して作物を栽培することを特徴とする請求項６に記載の作物栽培方法を提供せんとする。
【００２０】
請求項８に係る発明では、前記太陽光の入射方向と入射角度は、真南の南中高度であることを特徴とする請求項７に記載の作物栽培方法を提供せんとする。
【発明の効果】
【００２１】
請求項１記載の発明によれば、下端部近傍に形成した埋設部を栽培地に埋設することで立設自在な支持具と、太陽光を通過自在で且つ案内孔を備えた支持床と、からなり、支持床の上面に案内孔を通して下方から移動させた作物の実を載置自在で、支持床の下方に作物の実以外の部分が位置するよう支持具の中途部に支持床を装着したことより、構造がシンプルで安価に製造でき、案内孔から支持床上に作物の実を容易に載置して作物の実に太陽光を略一様に照射でき、更に、作物の実と作物の実以外の部分とを支持床を介して鉛直方向に分離して配置できるので、栽培する一株の幅員が広くなることなく栽培面積を維持できるため、収穫量に不要な制約が生じることがない。
【００２２】
しかも、下方より案内孔から導出した作物の実は、支持床上で作物の実を載置する方向に制約がないため、太陽光に対する作物の実の方向を状況に応じて適宜容易に変更することができる。
【００２３】
請求項２記載の発明によれば、支持具は、支持床を傾斜して装着できるよう形成したことより、ガクを有する作物の実において、ガクの内側が太陽の方角となるよう支持床上に容易に載置して作物を栽培することができる。
【００２４】
請求項３記載の発明によれば、支持具は、２つの解放端を下方とする側面視略コ字状に形成し、解放端をなす２辺は埋設部を備えた棒状の支柱部であり、両支柱部の上端を所定の間隔で連接する連結部を備えたことより、構造がシンプルで安価に製造でき、取り扱いも容易である。
【００２５】
請求項４記載の発明によれば、支持具は、両支柱部に支持床を任意の高さに装着自在とする支柱部と同軸の円環状の凸部を上下に連続して複数形成し断面視波型に形成したことより、支柱部と支持床とを係止紐等の係止部材で支持床と共に支柱部の凸部に巻着等して容易に固定でき、更に、巻着等する凸部の箇所を任意に選択することで支柱部に支持床を任意の高さの任意の角度に固定することができる。
【００２６】
請求項５記載の発明によれば、支持具は、連結部を傾斜させると共に、支柱部と連結部とが連接する箇所に支持床装着部を形成したことより、支持床を連結部の上面に載置しつつ支持床装着部に支持床を容易に係合等して略固定できるので、所定の間隙で栽培地に立設した支持具の連結部間に支持床を傾斜状態で容易に張設することができる。
【００２７】
請求項６記載の発明によれば、作物の実を支持床の上面に案内孔を通して下方から移動させ載置し、支持床の下方に作物の実以外の部分が位置するよう配置して作物を栽培することより、作物の実が葉や葉柄等の陰にならず常に作物の実の表層やガクに太陽光が照射されるので、作物の実の着色や糖度のバラツキが少なく、大玉で糖度の高い作物の実を収穫することができる。
【００２８】
請求項７記載の発明によれば、作物の実は、ガクを有する作物であり、ガクを含む作物の実をガクの内側を太陽光の入射方向に対峙して支持床上に載置して作物を栽培することより、作物の実だけでなく、ガクの内側の葉緑体にも十分な太陽光が照射されるので、更に、糖度の高い作物の実を収穫することができる。
【００２９】
請求項８記載の発明によれば、太陽光の入射方向と入射角度は、真南の南中高度であることより、ガクの内側の葉緑体に太陽光を効率よく照射でき、大幅に糖度の高い作物の実を収穫することができる。
【００３０】
また、南中高度が低い冬至の前後、すなわち、略１１月頃から作物の実が着果し、略３月頃まで成長して肥大化するイチゴ等の作物においては、同時期に栽培した作物と比して大幅に糖度の高い作物の実を収穫することができる。
【図面の簡単な説明】
【００３１】
【図１】本実施形態に係る作物栽培装置により作物栽培方法を実施する様子を示す斜視説明図である。
【図２】本実施形態に係る作物栽培装置により作物栽培方法を実施する様子を示す斜視説明図である。
【図３】本実施形態に係る作物栽培装置により作物栽培方法を実施する支持床の平面図である。
【図４】本実施形態に係る作物栽培装置により作物栽培方法を実施する様子を示す簡易側面図である。
【図５】本実施形態に係る作物栽培装置により作物栽培方法を実施する様子を示す簡易側面図である。
【図６】（ａ）は本実施形態に係る作物栽培装置により作物栽培方法を実施する様子を示す簡易側面図で、（ｂ）はその変形例である。
【図７】（ａ）は支持床上に載置した初期の作物の実を示す簡易部分側面図で、（ｂ）は後期の作物の実を示す簡易部分側面図である。
【発明を実施するための形態】
【００３２】
本発明に係る作物栽培装置の要旨は、下端部近傍に形成した埋設部を栽培地に埋設することで立設自在な支持具と、太陽光を通過自在で且つ案内孔を備えた支持床と、からなり、支持床の上面に案内孔を通して下方から移動させた作物の実を載置自在で、支持床の下方に作物の実以外の部分が位置するよう支持具の中途部に支持床を装着したことを特徴とする。すなわち、栽培面積を増加させることなく作物の実を太陽光に向けて栽培することができる作物栽培装置の提供を図ろうとするものである。
【００３３】
また、本発明に係る作物栽培方法の要旨は、ガクを有する作物の実において、支持床の上面に案内孔を通して下方から移動させたガクを含む作物の実をガクの内側を太陽光に向けて載置し、支持床の下方にガクを含む作物の実以外の部分が位置するよう配置して作物を栽培することを特徴とする。すなわち、ガクの内側に十分な太陽光が照射されることで糖度の高い作物を得ることができる作物栽培方法の提供を図ろうとするものである。
【００３４】
ここで、本発明における作物とは、開花し受粉により着果した直後から作物の実が肥大し、作物の実の表層に葉緑体を生成して光合成により澱粉を蓄積する作物を示し、例えば、茎から果枝を伸ばす一年草のイチゴやトマト等、樹の枝葉の先から果枝を出す永年木のマンゴー、ミカン、柿、ビワ、キンカン、カボス等の柑橘類、更に、蔓性を有する葡萄、スイカ、ゴーヤ、モロッコインゲン、トウガン等である。
【００３５】
このような作物は、作物の実に蓄積した澱粉を色素体に変化させる熟成期において澱粉を糖化しながら作物の実の表層や果肉中のアントシアンを増加させ、作物の葉だけでなく作物の実が太陽光を受光することで作物の実の表層や果肉の着色、糖度の向上が促進される作物である。
【００３６】
また、発明者はイチゴやトマトのように区別できる程度のガク（へた）を有した作物において、ガクの内側（作物の実側）の葉緑体に太陽光を照射することで、少なくとも作物の実の糖度が大幅に向上することを見出しているが、本発明の実施形態に係る作物栽培装置及び作物栽培方法においてはガクの有無に関わらず作物はイチゴを対象として説明し図示している。
【００３７】
なお、ガクの有無により各々の作物に寄与する効果が異なるものの、特に限定がない限り上述した全ての作物が対象となる。
【００３８】
以下、本発明に係る作物栽培装置及び作物栽培方法の実施形態について図面を参照しながら説明する。また、本説明中において左右同一又は左右対称の構造や部品については、原則として同一の符号を付し、左右何れか一方のみを説明して、他方については説明を適宜省略する。
【００３９】
本発明の実施形態に係る作物栽培装置１は、図１に示すように、下端部近傍に形成した埋設部４を栽培地Ｇに埋設することで立設自在な支持具２と、太陽光を通過自在で且つ案内孔１７を備えた支持床１４と、からなり、支持床１４の上面に案内孔１７を通して下方から移動させた作物（イチゴ）の実Ｆを載置自在で、支持床１４の下方にイチゴの実Ｆ以外の部分が位置するよう支持具２の中途部に支持床１４を装着して構成している。
【００４０】
具体的には、支持具２は、支柱部３と連結部７とで形成した２つの解放端を下方とする側面視略コ字状に形成し、解放端をなす２辺は下部側を埋設部４として棒状に形成した支柱部３であり、両支柱部３の上端を所定の間隔で連接する部位を連結部７として構成している。
【００４１】
また、支持床１４は、所定長さの２本の連結棒１５と外気と太陽光を通過自在な支持ネット（網）１６とで構成し、連結棒１５を支持具２の両支柱部３の間隙に近似した距離で平行に離反させ、両連結棒１５間に支持ネット１６を張設して形成している。
【００４２】
支持ネット１６は、図３に示すように、載置するイチゴの実Ｆが落下しない程度の格子状に形成し、栽培するイチゴの株数に応じた数の案内孔１７を形成し、案内孔１７は、少なくともイチゴの実Ｆが貫通する程度の孔径で形成している。
【００４３】
なお、支持床１４は、支持ネット１６に限定されるものではなく、作物の実Ｆが安定して載置でき、透光率が７０％以上であればよい。従って、外気を通過させないフィルムシート状であってもよく、しかも、支持床１４は平面であることに限定されず、例えば、作物Ａが永年木の柑橘類の場合、樹の形状に応じて上方に凸状のドーム型に形成する等、本発明の要旨の範囲内において種々の変形・変更が可能である。
【００４４】
本実施形態では、図１に示すように、栽培地Ｇに所定の間隙で２つの支持具２を支柱部３が有する埋設部４を埋設して立設することで対向配置し、この両支持具２の各支柱部３に支持床１４をなす連結棒１５の端部を係止紐等の係止部材Ｋで巻着等して支持床１４が略水平となるよう略固定することで作物栽培装置１が構成される。
【００４５】
なお、本実施形態では支持具２を栽培地Ｇに略固定しているが、支持具２の設置場所は特に限定されるものではなく、例えば、栽培地Ｇに埋設することなく高設栽培の支持具２として用いたり等、支持床１４を固定できるものであればよく、また、側面視略コ字状に形成されていなくても支持床１４を固定できるのであれば、例えば、１本の棒状体であってもよい。
【００４６】
このように作物栽培装置１を構成することで、支持床１４がイチゴＡを被覆するようイチゴＡの上方に配置し、イチゴの実Ｆを下方から案内孔１７を通して支持ネット１６上に載置することができる。
【００４７】
従って、イチゴの実Ｆは、葉Ｌや葉柄Ｅ等の陰に影響されることなく太陽光を略一様に受光でき、イチゴの実Ｆが備えるガクＨの内側Ｕにも太陽光が照射され易くなった状態で容易に載置できるので、糖度の高いイチゴの実Ｆを栽培することができる。
【００４８】
なお、支持具２と支持床１４は、図４に示すように、支持具２は一本の棒状体を折曲して形成し、支持床１４を支持ネット１６のみで形成してもよい。
【００４９】
この場合、支持具２には、支柱部３と連結部７とが連接する箇所を外方に突出して折曲した支持床装着部８を形成することで、支持床１４を連結部７の上面に載置しつつ支持床装着部８に支持床１４の格子部分を挿通等して係合させ略固定できるので、所定の間隙で栽培地Ｇに立設した支持具２の連結部７間に支持床１４を容易に張設することができ、イチゴの実Ｆに太陽光が効率よく照射されるようイチゴの実Ｆを支持床１４上に載置することができる。
【００５０】
また、本発明に係る作物栽培装置１では、支持具２は、支持床１４を傾斜して装着できるよう形成しているため、イチゴの実Ｆが備えるガクＨの内側Ｕを太陽光の入射角度で容易に載置できるので、更に糖度の高いイチゴの実Ｆを容易に栽培することができる。
【００５１】
具体的には、図２に示すように、栽培地Ｇに所定の間隙で２つの支持具２を支柱部３が有する埋設部４を埋設して立設することで対向配置し、この両支持具２の各支柱部３に支持床１４をなす連結棒１５の端部を係止紐等の係止部材Ｋで巻着等して支持床１４が太陽光の入射角度となるように傾斜させ略固定することで作物栽培装置１を構成する。
【００５２】
また、支持具２は、支持床１４の設置高さと設置角度を容易に可変でき、支持具２への固定も容易とするよう形成することもできる。
【００５３】
具体的には、図５に示すように、支持具２は、両支柱部３に支持床１４を任意の高さに装着自在とする支柱部３と同軸の円環状の凸部５を上下に連続して複数形成し断面視波型に形成する。
【００５４】
このように形成することで、凸部５間には凹部６が形成されるので、支柱部３と支持床１４とを係止紐等の係止部材Ｋで支持床１４と共に支柱部３の凸部５と凹部６を利用して巻着等して容易に固定でき、更に、巻着等する凸部５の箇所を任意に選択することで支柱部３に支持床１４を任意の高さの任意の角度に固定することができる。
【００５５】
また、本発明に係る作物栽培装置１では、支持具２は、両支柱部３の長さを違えて連結部７を傾斜させると共に、支柱部３と連結部７とが連接する箇所に支持床装着部８を形成することもできる。
【００５６】
具体的には、図６（ａ）に示すように、支持具２は一本の棒状体を折曲して形成したものであり、両支柱部３の上端部と連接する連結部７が太陽光の入射角度となるように、両支柱部３の下端部を基準として一方の支柱部３ａに対して他方の支柱部３ｂが長尺となるよう形成し、支柱部３と連結部７とが連接する箇所を外方に突出するよう折曲することで当該部分を支持床装着部８として形成している。
【００５７】
このように形成することで、支持床１４を連結部７の上面に載置しつつ支持床装着部８に支持床１４の格子部分を挿通等して係合させ略固定できるので、所定の間隙で栽培地Ｇに立設した支持具２の連結部７間に支持床１４を傾斜状態で容易に張設することができ、イチゴの実ＦのガクＨの内側Ｕに太陽光が効率よく照射されるようイチゴの実Ｆを支持床１４上に載置することができ、しかも、支持床１４の高さを調節する必要があれば栽培地Ｇへの支持具２の埋設高さを上下させるだけで容易に高さ調整ができる。
【００５８】
また、上述した支持具２は、連結部７を階段状に形成することもできる。
【００５９】
具体的には、図６（ｂ）に示すように、傾斜する連結部７の下側から上側にかけて所定の間隔で４箇所の段差９を設け、段差９は、下方に略直角に折曲した載置基準部１０と、更に上方へ略直角に折曲した載置部１１とで形成し、この段差９を連接することで連結部７形成している。
【００６０】
このように形成することで、所定の間隙で栽培地Ｇに立設した支持具２間において、連結部７間に張設された傾斜した支持床１４は、連結部７の段差９に倣って支持ネット１６も略同様な段差９を形成するため、段差９を形成する載置基準部１０と載置部１１との交点に相当する支持ネット１６の位置にイチゴの実Ｆを安定して載置でき、しかも、イチゴの実ＦのガクＨの内側Ｕに太陽光を効率よく照射させることができる。
【００６１】
なお、支持床１４を傾斜させた図５、図６（ａ）、（ｂ）で説明したような作物栽培装置１においては、栽培地Ｇの略水平な表面Ｇａを支持床１４の傾斜角度と略同角度とした表面Ｇｂに形成した栽培地Ｇ’とすることが望ましく、このように形成することで、栽培地Ｇ’における作物Ａの位置に関わらず支持床１４との距離を等しくして栽培することができ、この場合、図５に係る支持具２であれば両支柱部３の長さを違えて形成することで栽培地Ｇ’に立設し易く、図６（ａ）、（ｂ）に係る支持具２であれば両支柱部３の長さを略同長さとすることで栽培地Ｇ’に立設し易くなる。
【００６２】
以上、説明したように、本発明の実施形態に係る作物栽培装置１は、下端部近傍に形成した埋設部４を栽培地Ｇに埋設することで立設自在な支持具２と、太陽光を通過自在で且つ案内孔１７を備えた支持床１４と、からなり、支持床１４の上面に案内孔１７を通して下方から移動させたイチゴの実Ｆを載置自在で、支持床１４の下方にイチゴの実Ｆ以外の部分が位置するよう支持具２の中途部に支持床１４を装着したことより、構造がシンプルで安価に製造でき、案内孔１７から支持床１４上にイチゴの実Ｆを容易に載置してイチゴの実Ｆに太陽光を略一様に照射でき、更に、イチゴの実Ｆとイチゴの実Ｆ以外の部分とを支持床１４を介して鉛直方向に分離して配置できるので、栽培する一株の幅員が広くなることなく栽培面積を維持できるため、収穫量に不要な制約が生じることがない。
【００６３】
しかも、下方より案内孔１７から導出したイチゴの実Ｆは、支持床１４上でイチゴの実Ｆを載置する方向に制約がないため、太陽光に対するイチゴの実Ｆの方向を状況に応じて適宜容易に変更することができる。
【００６４】
また、支持具２は、支持床１４を傾斜して装着できるよう形成したことより、ガクＨを有するイチゴの実Ｆにおいて、ガクＨの内側Ｕが太陽の方角となるよう支持床１４上に容易に載置してイチゴを栽培することができる。
【００６５】
また、支持具２は、２つの解放端を下方とする側面視略コ字状に形成し、解放端をなす２辺は埋設部４を備えた棒状の支柱部３であり、両支柱部３の上端を所定の間隔で連接する連結部７を備えたことより、構造がシンプルで安価に製造でき、取り扱いも容易である。
【００６６】
更に、支持具２は、両支柱部３に支持床１４を任意の高さに装着自在とする支柱部３と同軸の円環状の凸部５を上下に連続して複数形成し断面視波型に形成したことより、支柱部３と支持床１４とを係止紐等の係止部材Ｋで支持床１４と共に支柱部３の凸部５に巻着等して容易に固定でき、更に、巻着等する凸部５の箇所を任意に選択することで支柱部３に支持床１４を任意の高さの任意の角度に固定することができる。
【００６７】
しかも、支持具２は、連結部７を傾斜させると共に、支柱部３と連結部７とが連接する箇所に支持床装着部８を形成したことより、支持床１４を連結部７の上面に載置しつつ支持床装着部８に支持床１４を容易に係合等して略固定できるので、所定の間隙で栽培地Ｇに立設した支持具２の連結部７間に支持床１４を傾斜状態で容易に張設することができる。
【００６８】
次に、本発明に係る作物栽培方法の実施形態について図面を参照しながら説明する。
【００６９】
なお、本実施形態に係る以下の作物栽培方法では作物Ａをイチゴとして説明しており、この場合、気温が略２５℃となる９月下旬に植栽し、太陽の南中高度が最も低い冬至の前後である１１月〜３月下旬までの間に順次収獲する栽培方法として好適である。
【００７０】
本発明の実施形態に係る作物栽培方法は、例えば、図１に示すように、イチゴの実Ｆを支持床１４の上面に案内孔１７を通して下方から移動させ載置し、支持床１４の下方にイチゴの実Ｆ以外の部分が位置するよう配置してイチゴを栽培するものである。
【００７１】
具体的には、栽培地Ｇにイチゴを植栽して花芽が出蕾し着果（植栽から略１月後）するまでの間に、２つの支持具２を所定の間隙で対向させて栽培地Ｇに立設し、支持床１４を支持床１４に形成した案内孔１７がイチゴの株の上方に近接するよう支持具２に装着する。
【００７２】
なお、イチゴの場合、支持床１４は栽培地Ｇの表面Ｇａから２０〜２５ｃｍ程度の高さに設置するが、高さについては状況に応じて適宜設定すればよく、特に限定されるものではない。
【００７３】
この場合、支持床１４は、栽培地Ｇに植栽したイチゴの株数や条数、畝幅等に応じた面積で、案内孔１７の位置が株の真上に位置するよう形成し、支持具２においても栽培に適当な支柱部３の長さと幅員、高さを有した物を使用する。
【００７４】
また、着果の有無に関わらず支持床１４上に載置できる程度に果枝Ｃが成長したら、案内孔１７から速やかに果枝Ｃを支持床１４上に導出して載置する。なお、花芽が開花し受粉により着果すると果枝Ｃの成長と共にイチゴの実Ｆが肥大化して下垂し、葉Ｌや葉柄Ｅの陰になりイチゴの実Ｆへの太陽光の照射が阻害され易いため、出来るだけ早期に支持床１４上に載置することが望ましい。
【００７５】
このようにして栽培されたイチゴは、太陽光の照射が阻害されることなく表層やガクＨに太陽光が照射されるので、イチゴの実Ｆの着色や糖度のバラツキが少なく、大玉で糖度の高いイチゴの実Ｆを収穫することができる。
【００７６】
また、本発明の実施形態に係る作物栽培方法では、例えば、図２に示すように、作物の実Ｆが、イチゴ等のようにガクＨを有する作物Ａであれば、ガクＨを含む作物の実ＦをガクＨの内側Ｕを太陽光の入射方向に対峙して支持床上に載置して作物を栽培することもでき、更には、太陽光の入射方向と入射角度は、真南の南中高度（略３２°）であることが望ましい。
【００７７】
また、ガクＨを有するイチゴの実Ｆにおいて、支持床１４の上面に案内孔１７を通して下方から移動させたガクＨを含むイチゴの実ＦをガクＨの内側Ｕを太陽光の入射方向に対峙して載置し、支持床１４の下方にガクＨを含むイチゴの実Ｆ以外の部分が位置するよう配置して作物を栽培するものであり、栽培地Ｇの表面Ｇａは、図５や図６（ａ）、（ｂ）に示すように傾斜させた支持床１４と略同角度の表面Ｇｂを形成した栽培地Ｇ’であることが望ましい。
【００７８】
具体的には、栽培地Ｇにイチゴを植栽して花芽が出蕾し着果するまでの間に、２つの支持具２を所定の間隙で対向させて栽培地Ｇに立設し、支持床１４を支持床１４に形成した案内孔１７がイチゴの株の上方に近接し太陽光の入射方向に向けて傾斜するよう支持具２に装着する。
【００７９】
この場合、支持床１４と支持具２の構成は上述同様であり、支持床１４の傾斜角度と方角は、太陽が最も高い位置となるときの地表への入射角度、すなわち、真南の南中高度に向けて固定するか、変化する南中高度に応じて定期的に支持床１４の傾斜角度を変更する。
【００８０】
また、着果の有無に関わらず支持床１４上に載置できる程度に果枝Ｃが成長したら、案内孔１７から速やかに果枝Ｃを支持床１４上に導出して載置する。なお、花芽が開花し受粉により着果すると果枝Ｃの成長と共にイチゴの実Ｆが肥大化して下垂し、葉Ｌや葉柄Ｅの陰になりイチゴの実Ｆへの太陽光の照射が阻害され易いため、出来るだけ早期に支持床１４上に載置することが望ましい。
【００８１】
このように、支持床１４上に載置されたイチゴの実Ｆは、図７（ａ）に示すように支持床１４上で果枝Ｃが成長して前方に伸延すると共に、図７（ｂ）に示すようにイチゴの実Ｆも肥大化するが、イチゴの実Ｆは、太陽光ＳＬに向かって成長するため、最初に太陽光ＳＬに向けてイチゴの実Ｆを載置すれば、栽培中にイチゴの実Ｆを太陽光ＳＬの向きに移動させる必要はない。
【００８２】
このようにして栽培されたイチゴは、ガクＨの内側Ｕの葉緑体に太陽光を効率よく照射でき、大幅に糖度の高いイチゴの実Ｆを収穫することができる。
【００８３】
ここで、９月下旬に植栽し、支持床１４を太陽光の入射方向と入射角度が真南の冬至の南中高度の角度に固定して栽培し、冬至の前後にまたがり収獲した本実施形態に係る作物栽培方法で栽培したイチゴの実と、同時期において支持床１４を用いずにイチゴの実が自重下垂する一般的な栽培方法で栽培したイチゴの実を３回に渡り比較調査したところ、本願の栽培方法によるイチゴの実の平均糖度は、一般的な栽培方法によるイチゴの実の平均糖度よりも２．０〜２．５度高いものであった。
【００８４】
また、イチゴの実の大きさを比較すると、大玉を示す所謂３Ｌ以上の出現率は、一般的な栽培方法に比して本願の栽培方法が略２倍の出現率となり、しかも、果形もよく内部に空洞も少ない良形のものであった。
【００８５】
更に、着色については、一般的な栽培方法によるイチゴの実は、下垂状態では陰になりやすいガク近傍や、太陽光を受けない実の裏面側に着色不良が確認されたのに対し、本願の栽培方法によるイチゴの実は、まんべんなく濃い赤色に着色していることが確認された。
【００８６】
しかも、着果から収穫までの期間も一般的な栽培方法に比して本願の栽培方法の方が略１０日間早くなることが確認された。
【００８７】
なお、上述した本発明の実施形態に係る作物栽培方法は一年草のイチゴを対象として説明したが、永年木や柑橘類でも基本的には同様であり、支持床１４の上に作物の実Ｆを載置し、それ以外の部位は支持床１４の下に位置するようにして栽培することができる。
【００８８】
この場合、支持床１４を配置し易いように永年木等の上部を略水平に剪定しておくことが望ましい。
【００８９】
以上、説明したように、本発明の実施形態に係る作物栽培方法は、イチゴの実Ｆを支持床１４の上面に案内孔１７を通して下方から移動させ載置し、支持床１４の下方にイチゴの実Ｆ以外の部分が位置するよう配置してイチゴを栽培することより、イチゴの実Ｆが葉Ｌや葉柄Ｅ等の陰にならず常にイチゴの実Ｆの表層やガクＨに太陽光が照射されるので、イチゴの実Ｆの着色や糖度のバラツキが少なく、大玉で糖度の高いイチゴの実Ｆを収穫することができる。
【００９０】
また、作物の実Ｆは、ガクＨを有するイチゴであり、ガクＨを含むイチゴの実ＦをガクＨの内側Ｕを太陽光の入射方向に対峙して支持床１４上に載置してイチゴを栽培することより、イチゴの実Ｆだけでなく、ガクＨの内側Ｕの葉緑体にも十分な太陽光が照射されるので、更に、糖度の高いイチゴの実Ｆを収穫することができる。
【００９１】
更に、太陽光の入射方向と入射角度は、真南の南中高度であることより、ガクＨの内側Ｕの葉緑体に太陽光を効率よく照射でき、大幅に糖度の高いイチゴの実Ｆを収穫することができる。
【００９２】
しかも、南中高度が低い冬至の前後、すなわち、略１１月頃から作物の実Ｆが着果し、略３月頃まで成長して肥大化するイチゴ等の作物Ａにおいては、同時期に栽培した作物Ａと比して大幅に糖度の高い作物の実Ｆを収穫することができる。
【００９３】
以上、本発明の本実施形態に係る作物栽培装置及び作物栽培方法の好ましい実施形態について説明したが、本発明は特定の実施形態に限定されるものではなく、種々の変形・変更が可能である。
【符号の説明】
【００９４】
Ａ  作物
Ｆ  実（イチゴ）
Ｇ  栽培地
Ｈ  ガク（へた）
ＳＬ  太陽光
Ｕ  内側
１  作物栽培装置
２  支持具
３  支柱部
４  埋設部
５  凸部
７  連結部
８  支持床装着部
１４  支持床
１７  案内孔
【図１】
2020028231.tif 000003
【図２】
2020028231.tif 000004
【図３】
2020028231.tif 000005
【図４】
2020028231.tif 000006
【図５】
2020028231.tif 000007
【図６】
2020028231.tif 000008
【図７】
2020028231.tif 000009